(57)【要約】【課題】  輸送中の定温保存物の温度を管理することのできる輸送管理システムを提供する。【解決手段】  内部の温度を検出する温度センサ１０ｃを備えた断熱性の保管箱１０に血液を収納し、保管箱１０の輸送を管理する輸送管理システムにおいて、保管箱１０に設けられ、通信網Ｎ１を介して外部に所定のデータを送信する通信モジュール１１ｃ及び通信アンテナ１１ｄと、保管箱１０に設けられ、輸送中に温度センサ１０ｃにより検出された温度を含む温度データＡを輸送中に通信モジュール１１ｃ及び通信アンテナ１１ｄにより送信する制御部１１ａとを有する通信装置１１と、通信網Ｎ１を介して通信装置１１から送信された温度データＡを含む所定のデータを受信する受信部２１を有し、受信部２１により受信した温度データＡを取得するサーバ２０とを備える【選択図】図１
2008050101.tif 000002
【特許請求の範囲】
【請求項１】
内部の温度を検出する温度検出手段を備えた断熱性の保管箱に定温保存物を収納し、保管箱の輸送を管理する輸送管理システムにおいて、
前記保管箱に設けられ、通信網を介して外部に所定のデータを送信する送信手段と、前記保管箱に設けられ、輸送中に温度検出手段により検出された温度を含む温度データを輸送中に送信手段により送信する温度データ送信手段とを有する通信装置と、
通信網を介して通信装置から送信された温度データを含む所定のデータを受信する受信手段を有し、受信手段により受信した温度データを取得するサーバとを備える
ことを特徴とする輸送管理システム。
【請求項２】
前記サーバが、取得した温度データに基づいて保管箱の内部の温度が所定範囲内か否かを判定する判定手段を有する
ことを特徴とする請求項１に記載の輸送管理システム。
【請求項３】
前記通信装置が、通信網の事業者から提供される自己の位置情報を輸送中に取得して位置情報を含む位置データを輸送中に送信手段により送信する位置データ送信手段を有し、
サーバが、受信手段により受信した位置データを取得して輸送中の保管箱の位置を特定する位置特定手段を有する
ことを特徴とする請求項１又は２に記載の輸送管理システム。
【請求項４】
前記位置特定手段が、取得した位置データに基づいて輸送中に保管箱の輸送先への到着時間を算出する手段を有する
ことを特徴とする請求項３に記載の輸送管理システム。
【請求項５】
前記サーバが、取得した所定のデータを出力する出力手段を有する
ことを特徴とする請求項１乃至４の何れかに記載の輸送管理システム。
【請求項６】
前記サーバが、取得した所定のデータをインターネット網を介して外部の端末に提供可能なデータ提供手段を有する
ことを特徴とする請求項１乃至５の何れかに記載の輸送管理システム。
【発明の詳細な説明】
【技術分野】
【０００１】
本発明は、例えば血液、生体の一部、又は医薬品等の一定範囲内の厳密な温度管理を必要とする物品の輸送を管理する輸送管理システムに関するものである。
【背景技術】
【０００２】
従来、血液、生体の一部、又は医薬品等の一定範囲内の厳密な温度管理を必要とする物品（以下定温保存物という）を保冷ボックスを用いて輸送する場合、保冷ボックス内の温度を検出する温度センサと温度センサの検出データを記録して外部に出力可能な温度記録装置とを備えた保冷ボックスに定温保存物を収納して輸送し、輸送先に到着後、温度記憶装置に記憶されたデータを外部のデータ処理装置に出力して輸送中の温度変化を確認するようにしたものが知られている（例えば特許文献１参照。）。
【特許文献１】特開２００１−２０１２２３号公報
【発明の開示】
【発明が解決しようとする課題】
【０００３】
しかしながら、従来のものでは、輸送中に保冷ボックス内の温度が変化しても輸送先に到着するまで知ることができず、輸送中の保冷ボックス内の温度変化による劣化（温度異常）を防止することができないという問題点があった。
【０００４】
本発明は前記問題点に鑑みてなされたものであり、その目的とするところは、輸送中の定温保存物の温度を管理することのできる輸送管理システムを提供することにある。
【課題を解決するための手段】
【０００５】
本発明は前記目的を達成するために、内部の温度を検出する温度検出手段を備えた断熱性の保管箱に定温保存物を収納し、保管箱の輸送を管理する輸送管理システムにおいて、前記保管箱に設けられ、通信網を介して外部に所定のデータを送信する送信手段と、前記保管箱に設けられ、輸送中に温度検出手段により検出された温度を含む温度データを輸送中に送信手段により送信する温度データ送信手段とを有する通信装置と、通信網を介して通信装置から送信された温度データを含む所定のデータを受信する受信手段を有し、受信手段により受信した温度データを取得するサーバとを備える輸送管理システムを提案する。
【０００６】
本発明によれば、保管箱によって輸送中に検出された温度を含む温度データが輸送中に送信され、サーバによって受信した温度データが取得されるので、輸送中の保管箱に収納された定温保存物の温度を輸送中に知ることができる。
【発明の効果】
【０００７】
本発明によれば、輸送中の保管箱に収納された定温保存物の温度を輸送中に知ることができるから、輸送中に保管箱の内部の温度が変化する場合でも定温保存物の温度を管理することができ、例えば保管箱の輸送者に知らせることで、輸送中の定温保存物の劣化を未然に防止することができる。
【発明を実施するための最良の形態】
【０００８】
図１乃至図９は本発明の第1実施形態を示すもので、図１は輸送管理システムの構成図、図２は図１に示した保管箱の制御系構成を示すブロック図、図３は図１に示した保管箱の表面に設けられた表示部及び入力装置の正面図、図４は図１に示した保管箱の処理構成図、図５は図４に示した出発処理のフローチャート、図６は図４に示した輸送中処理のフローチャート、図７は温度データの一例を表すデータ構造図、図８は図４に示した到着処理のフローチャート、図９は図１に示した集計サーバが実行する温度監視処理のフローチャートである。以下において、特に記載のない限り、定温保存物として血液を用いて説明する。
【０００９】
図１に示すように、輸送管理システムは複数の保管箱１０、通信網Ｎ１、集計サーバ２０、記憶装置３０、及び印刷機４０から構成されている。
【００１０】
各保管箱１０は断熱材等で構成された断熱性の箱であり、内部に１つ又は複数の血液が収納されている。また、各保管箱１０は通信装置１１を備えており、通信網Ｎ１を介して後述する温度データを集計サーバ２０に送信している。
【００１１】
通信網Ｎ１は例えば通信事業者が提供する無線通信網であり、各保管箱１０と集計サーバ２０との間を通信可能にしている。
【００１２】
集計サーバ２０は各保管箱１０の輸送を管理するためのものであり、受信部２１及び制御部２２を備えている。受信部２１は通信網Ｎ１を介して外部から送信された温度データを含む所定のデータを受信するためのものであり、各保管箱１０の通信装置１１から送信された温度データを受信し、制御部２２に出力している。制御部２２はＣＰＵ及びＲＡＭ、ＲＯＭ等のメモリ等から構成される周知のマイクロプロセッサであり、自己のメモリ内に格納されたプログラムに基づいて集計サーバ２０と接続する記憶装置３０及び印刷機４０にデータを出力している。
【００１３】
記憶装置３０は周知の大容量記憶装置であり、記憶するデータを制御部２２に出力するとともに、制御部２２から入力された温度データに含まれる温度を保管箱１０ごとに温度履歴３１として記憶している。
【００１４】
印刷機４０は集計サーバ２０が取得したデータを出力するためのものであり、血液の輸送先に送付する所定の帳票を作成している。
【００１５】
図２に示すように、保管箱１０の本体は、制御部１０ａと、制御部１０ａに接続している赤外線ポート１０ｂ、温度センサ１０ｃ、表示部１０ｄ、入力装置１０ｅ、データロガー１０ｆ、及び二次電池１０ｇとから構成されている。
【００１６】
制御部１０ａはＣＰＵ及びＲＡＭ、ＲＯＭ等のメモリ等から構成される周知のマイクロプロセッサであり、自己のメモリ内に格納されたプログラムに基づいて制御部１０ａに接続する各機器に制御信号を出力している。
【００１７】
赤外線ポート１０ｂは近接した外部の赤外線ポートと赤外線通信を行うためのものであり、通信規格として、例えばＩｒＤＡ（Infrared Data Association）を用いる。
【００１８】
温度センサ１０ｃは保管箱１０の内部の温度を検出するためのものであり、検出した温度をＡ／Ｄ変換して制御部１０ａに出力している。
【００１９】
表示部１０ｄは保管箱１０の表面に設けられおり、図３に示すようにデータ有ランプ１０ｄ１及び通信中ランプ１０ｄ２を有し、送信すべきデータの有無及び通信状態を表示している。
【００２０】
入力装置１０ｅは表示部１０ｄの近傍に設けられており、図３に示すように複数の入力ボタン１０ｅ1及び入力表示画面１０ｅ２を有し、入力ボタン１０ｅ１を操作することにより入力された内容を制御部１０ａに出力するとともに、入力表示画面１０ｅ２に表示している。また、この入力表示画面１０ｅ２は、入力ボタン１０ｅ１の操作中以外は、温度センサ１０ｃにより検出された現在の保管箱１０の内部の温度を表示する。
【００２１】
データロガー１０ｆはフラッシュメモリ等のＥＥＰＲＯＭ(Electronically Erasable and Programmable ROM)であり、温度センサ１０ｃが検出した温度を記憶するためのものである。
【００２２】
二次電池１０ｇは例えば鉛蓄電池やアルカリ蓄電池等であり、制御部１０ａ及びデータロガー１０ｆが接続されており電力を供給している。
【００２３】
また、図２に示すように、保管箱１０に設けられた通信装置１１は、制御部１１ａ、赤外線ポート１１ｂ、通信モジュール１１ｃ、通信アンテナ１１ｄ、及び二次電池１１ｅから構成されている。
【００２４】
制御部１１ａはＣＰＵ及びＲＡＭ、ＲＯＭ等のメモリ等から構成される周知のマイクロプロセッサであり、赤外線ポート１１ｂ及び通信モジュール１１ｃと接続し、自己のメモリ内に格納されたプログラムに基づいて赤外線ポート１１ｂ及び通信モジュール１１ｃに制御信号を出力している。
【００２５】
赤外線ポート１１ｂは近接した外部の赤外線ポートと赤外線通信を行うためのものであり、通信規格として、例えばＩｒＤＡ（Infrared Data Association）を用いる。
【００２６】
通信モジュール１１ｃは外部と通信するためのものであり、通信アンテナ１１ｄと接続している。通信アンテナ１１ｄは電波で外部と通信する周知の無線通信手段であり、前述の通信網Ｎ１を介してデータを送受信するためのものである。
【００２７】
二次電池１１ｅは例えば鉛蓄電池やアルカリ蓄電池等であり、制御部１１ａ及び通信モジュール１１ｃと接続しており電力を供給している。
【００２８】
本実施形態では、保管箱１０の外部に通信装置１１を設けるようにしたが、これに限定されず、保管箱１０は通信装置１１を内蔵するようにしてもよい。また、本実施形態では、保管箱１０と通信装置１１との間を赤外線通信を行うようにしたが、これに限定されるものではなく有線で通信するようにしてもよい。
【００２９】
このように構成された保管箱１０の動作は、図４に示すように出発処理Ｓ１００、輸送中処理Ｓ１２０、及び到着処理Ｓ１４０から構成されている。
【００３０】
血液が収納された保管箱１０を輸送元から輸送先に輸送する際に入力ボタン１０ｅ１の出発ボタンが操作されると、出発処理Ｓ１００を実行する。
【００３１】
すなわち、図５に示すように、制御部１０ａは入力装置１０ｅから出発信号が入力されると、温度センサ１０ｃに制御信号を出力して現在の温度を検出し（ステップＳ１０１）、温度センサ１０ｃから入力された温度をデータロガー１０ｆに記憶する（ステップＳ１０２）。これにより、輸送出発時の保管箱１０の内部の温度を検出して記憶することができる。
【００３２】
このとき、制御部１０ａは表示部１０ｄに制御信号を出力してデータ有ランプ１０ｄ１を点灯するとともに（ステップＳ１０３）、自らの計時機能（又は計時プログラム）を起動して時間の測定を開始し（ステップＳ１０４）、出発処理Ｓ１００を終了する。これにより、温度を検出してから経過した時間を測定することができる。
【００３３】
出発処理Ｓ１００の実行後、保管箱１０を輸送している間は輸送中処理Ｓ１２０を実行する。
【００３４】
すなわち、図６に示すように、制御部１０ａは計時機能を起動してから所定時間、例えば１０分を経過したか否かを判定し（ステップＳ１２１）、１０分を経過するまでステップＳ１２１の処理を繰り返し行う。
【００３５】
判定の結果、計時機能を起動してから１０分を経過しているとき、制御部１０ａは温度センサ１０ｃに制御信号を出力して現在の温度を検出し（ステップＳ１２２）、温度センサ１０ｃから入力された温度をデータロガー１０ｆに記憶する（ステップＳ１２３）。これにより、輸送中の保管箱１０の内部の温度を検出して記憶することができる。
【００３６】
次いで制御部１０ａはデータ有ランプ１０ｄ１が消灯しているか否かを判定し（ステップＳ１２４）、データ有ランプ１０ｄ１が点灯しているとき制御部１０ａは何もせず、データ有ランプ１０ｄ１が消灯しているとき制御部１０ａは表示部１０ｄに制御信号を出力してデータ有ランプ１０ｄ１を点灯する（ステップＳ１２５）。
【００３７】
次いで制御部１０ａは自らの計時機能を再起動してゼロから時間の測定を開始する（ステップＳ１２６）。これにより、所定時間ごとに保管箱１０の内部の温度を検出して記憶することができる。
【００３８】
次いで制御部１０ａはデータロガー１０ｆに温度を記憶した回数が所定回数、例えば６回か否かを判定する（ステップＳ１２７）。
【００３９】
判定の結果、データロガー１０ｆに温度を記憶した回数が６回でないとき、制御部１０ａはデータロガー１０ｆに温度を記憶した回数が６回になるまでステップＳ１２１〜ステップＳ１２７の処理を繰り返し行う。データロガー１０ｆに温度を記憶した回数が６回のとき、制御部１０ａはデータロガー１０ｆに記憶された６つの温度を含む温度データを作成し、赤外線ポート１０ｂ，１１ｂを介して通信装置１１の制御部１１ａと温度データの通信を行う（ステップＳ１２８）とともに、表示部１０ｄに制御信号を出力して通信中ランプ１０ｄ２を点灯する（ステップＳ１２９）。これにより、所定回数保管箱１０内部の温度を検出して記憶するごとに温度データを送信することが可能となる。
【００４０】
ここで、温度データのデータ構造の一例を図７に示す。温度データＡの保管箱コードには制御部１０ａのメモリ等にあらかじめ記憶されている固有の識別コードが格納され、温度１〜温度６にはデータロガー１０ｆに記憶された６回の温度のそれぞれが格納される。また、到着フラグには通常「０」が格納される。なお、制御部１０ａは温度センサ１０ｃに制御信号を出力して温度を検出するときに、自己の時計機能（又は時計プログラム）を用いて温度とともに検出時刻をデータロガー１０ｆに記憶し、温度データに設けられた時刻１〜６に６回の検出時刻のそれぞれを収納するようにしてもよい。
【００４１】
赤外線ポート１１ｂから温度データＡを受信した制御部１１ａは、通信モジュール１１ｃ及び通信アンテナ１１ｄを介して温度データＡを集計サーバ２０に送信する（ステップＳ１３０）。これにより、輸送中に検出された温度を含む温度データＡが輸送中に送信される。
【００４２】
その後、制御部１０ａは通信装置１１を介して集計サーバ２０から受信完了のデータを受信し、表示部１０ｄに制御信号を出力してデータ有ランプ１０ｄ１及び通信中ランプ１０ｄ２を消灯するとともに（ステップＳ１３１）、データロガー１０ｆに記憶された温度を削除し、記憶した回数をゼロにする。これにより、送信未完了の温度データＡの有無を判断することができ、温度データＡの送信エラーが発生した場合でも入力ボタン１０ｅ１の再送ボタンを操作することにより温度データＡを再送することが可能となる。
【００４３】
制御部１０ａ及び制御部１１ａは、保管箱１０が輸送先に到着するまでステップＳ１２１〜ステップＳ１３１の処理を繰り返し行う。
【００４４】
保管箱１０が輸送先に到着し、入力ボタン１０ｅ１の到着ボタンが操作されると到着処理Ｓ１４０を実行する。
【００４５】
すなわち、制御部１０ａは入力装置１０ｅから到着信号が入力されると送信中ランプ１０ｄ２が点灯している間、すなわちステップＳ１２９〜ステップＳ１３１の処理中を除き、輸送中処理Ｓ１２０を直ちに終了して到着処理Ｓ１４０を実行する。なお、ステップＳ１２９〜ステップＳ１３１の処理中に入力装置１０ｅから到着信号が入力がされたとき、制御部１０ａはステップＳ１３１の処理後に輸送中処理Ｓ１２０を終了して到着処理１４０を実行する。
【００４６】
制御部１０ａはデータロガー１０ｆに記憶されている温度を温度データＡの温度１〜温度６にそれぞれ格納するとともに到着フラグＡ８に「１」を格納して温度データＡを作成し、赤外線ポート１０ｂ，１１ｂを介して通信装置１１の制御部１１ａと温度データＡの通信を行う（ステップＳ１４１）。また、制御部１０ａは表示部１０ｄに制御信号を出力して通信中ランプ１０ｄ２を点灯する（ステップＳ１４２）。
【００４７】
赤外線ポート１１ｂから温度データＡを受信した制御部１１ａは、通信モジュール１１ｃ及び通信アンテナ１１ｄを介して温度データＡを集計サーバ２０に送信する（ステップＳ１４３）。これにより、保管箱１０が輸送先に到着したときに輸送中に検出した温度が送信されずに記憶されていた場合でも温度データＡが送信される。
【００４８】
その後、制御部１０ａは通信装置１１を介して集計サーバ２０から受信完了のデータを受信し、表示部１０ｄに制御信号を出力してデータ有ランプ１０ｄ１及び通信中ランプ１０ｄ２を消灯するとともに（ステップＳ１４４）、データロガー１０ｆに記憶された温度を削除し、記憶した回数をゼロにして、到着処理Ｓ１４０を終了する。これにより、送信未完了の温度データＡの有無を判断することができ、温度データＡの送信エラーが発生した場合でも入力ボタン１０ｅ１の再送ボタンを操作することにより温度データＡを再送することが可能となる。
【００４９】
本実施形態では、温度データＡの送信による電力消費を低減するため、輸送中の所定時間ごとに温度を検出して記憶し、所定回数温度を記憶するごとに温度データＡを送信しているが、これに限定されず、輸送中に検出した温度を含む温度データをリアルタイムに送信するようにしてもよい。
【００５０】
また、集計サーバ２０は輸送管理システムが停止するまで温度監視処理を実行する。
【００５１】
すなわち、図９に示すように、制御部２２は受信部２１を介して何れかの保管箱１０から温度データＡを受信したか否かを判定し（ステップＳ２０１）、温度データＡを受信するまでステップＳ２０１の処理を繰り返し行う。
【００５２】
判定の結果、保管箱１０から温度データＡを受信したとき、保管箱コードに対応する温度履歴３１を記憶装置３０から読み込み、温度１〜温度６を追加して記憶する（ステップＳ２０２）。なお、保管箱コードに対応する温度履歴３１が記憶装置３０に存在しない場合は新たに温度履歴３１を作成して温度１〜温度６を記憶する。これにより、輸送中の保管箱１０に収納された血液の温度を輸送中に知ることが可能となる。
【００５３】
次いで制御部２２は温度データＡの温度１〜温度６の全てが所定範囲内の温度、例えば血液を保存するのに適した範囲の温度か否かを判定する（ステップＳ２０３）。これにより、輸送中の保管箱１０に収納された血液の温度が所定範囲内の温度か否かを知ることができる。
【００５４】
判定の結果、温度データＡの温度１〜温度６の何れかが血液を保存するのに適した範囲の温度でない場合、制御部２２は図示しない警報器等から警報を出力する（ステップＳ２０４）。これにより、保管箱１０に収納された血液が内部の温度変化により劣化する前に知ることができる。
【００５５】
ステップＳ２０４の処理後、又は温度データＡの温度１〜温度６の全てが血液を保存するのに適した範囲の温度の場合、制御部２２は温度データＡの到着フラグが「１」か否かを判定する（ステップＳ２０５）。
【００５６】
判定の結果、温度データＡの到着フラグが「１」でない場合、すなわち「０」のとき、制御部２２はステップＳ２０１〜Ｓ２０５の処理を繰り返し行い、温度データＡの到着フラグが「１」の場合、制御部２２は当該保管箱１０の温度履歴３１を記憶装置３０から読み込んで印刷機４０に出力して帳票を作成し（ステップＳ２０６）、ＦＡＸ等で輸送先に送付する。これにより、輸送中の保管箱１０の内部の温度履歴を記載した帳票が自動的に作成される。
【００５７】
本実施形態では、輸送先に輸送中の情報を提供するため帳票を作成しているが、これに限定されず、帳票を作成しなくてもよい。また、所定範囲内の温度として血液を保存するのに適した範囲の温度を用いたが、血液が劣化しない範囲の温度を用い、温度データＡの温度１〜温度６の何れかが血液が劣化しない範囲の温度でない、すなわち血液が劣化する範囲の温度の場合、制御部２２は図示しない警報器等から警報を出力するようにしてもよい。これにより、保管箱１０に収納された血液の劣化を輸送中に知ることができる。
【００５８】
このように、本実施形態によれば、各保管箱１０は輸送中に検出された温度を含む温度データＡを輸送中に送信し、集計サーバ２０は受信した温度データＡを取得するので、輸送中の各保管箱１０に収納された血液の温度を輸送中に知ることができるから、保管箱１０の内部の温度が変化する場合でも保管箱１０に収納された血液の温度を管理することができ、例えば携帯電話やＥメール等によって保管箱１０の輸送者に知らせることで、輸送中の血液の劣化を未然に防止することができる。
【００５９】
また、温度データＡの温度１〜温度６の全てが血液を保存するのに適した範囲の温度か否かを判定するので、輸送中の保管箱１０に収納された血液の温度が所定範囲内の温度か否かを知ることができるから、輸送中の各保管箱１０に収納された血液の温度をより正確に管理することができ、例えば輸送中に血液が劣化したときに保管箱１０の輸送先に到着する前に知らせることで別の血液を手配する等、後続する処理をいち早く開始することができる。
【００６０】
また、輸送中の保管箱１０の内部の温度履歴を記載した帳票を自動的に作成することから、帳票の作成に伴う労力を低減することができる。
【００６１】
図１０乃至図１５は本発明の第２実施形態を示すもので、図１０は輸送管理システムの構成図、図１１は図１０に示した保管箱の処理構成図、図１２は図１１に示した輸送中処理のフローチャート、図１３は図１０に示した集計サーバの処理構成図、図１４は温度データの一例を表すデータ構造図、図１５は図１３に示した位置監視処理のフローチャートである。
【００６２】
第２実施形態と第１実施形態との相違点は、各保管箱が温度データに加え、輸送中の保管箱に備わる通信装置の位置情報を含む位置データを送信し、集計サーバが位置データを取得して輸送中の保管箱の位置を特定するようにしたことである。なお、前述した第１実施形態と同一構成部分は同一符号をもって表し、その説明を省略する。
【００６３】
すなわち、図１０に示すように、記憶装置３０Ａは温度履歴３１に加え、集計サーバ２０Ａから入力された後述する位置データに含まれる位置情報を保管箱１０Ａに設けられた通信装置１１Ａごとに位置履歴３２として記憶している。
【００６４】
保管箱１０Ａの動作は、図１１に示すように出発処理Ｓ１００、輸送中処理Ｓ１２０Ａ、及び到着処理Ｓ１４０から構成されており、出発処理Ｓ１００及び到着処理Ｓ１４０は第１実施形態と同様である。
【００６５】
輸送中処理Ｓ１２０Ａは図１２に示すように、第１実施形態の輸送中処理Ｓ１２０と同様にステップＳ１２１〜ステップＳ１２９の処理を行い、赤外線ポート１１ｂから温度データＡを受信した制御部１１ａは、位置情報及び時刻情報の取得コマンドを通信モジュール１１ｃ及び通信アンテナ１１ｄを介して送信し、通信網Ｎ１の事業者から提供される位置情報及び時刻情報を取得する（ステップＳ１３２）。これにより、輸送中の保管箱１０Ａの位置情報を取得することができる。
【００６６】
なお、時刻情報の取得コマンドを送信する代わりに、自己の時計機能（又は時計プログラム）を用いて時刻情報の取得するようにしてもよい。また、通信網Ｎ１の事業者から提供される位置情報は、基地局情報をもととした簡易な位置情報、人工衛星を利用したＧＰＳ（Global Positioning System）の位置情報、又は人工衛星から得られた位置情報をＧＰＳ基地局からの信号によって補正するＤＧＰＳ（Differential GPS）の位置情報等、方式・種類を問わない。
【００６７】
次いで制御部１１ａは取得した位置情報及び時刻情報を含む位置データを作成し、通信モジュール１１ｃ及び通信アンテナ１１ｄを介して位置データを集計サーバ２０Ａに送信する（ステップＳ１３３）。これにより、輸送中に取得した位置情報を含む位置データが輸送中に送信される。
【００６８】
ここで、位置データのデータ構造の一例を図１３に示す。位置データＢの保管箱コードには制御部１０ａのメモリ等にあらかじめ記憶されている固有の識別コードが格納され、取得時刻には通信網Ｎ１の事業者から取得した時刻情報が格納され、緯度及び経度には通信網Ｎ１の事業者から取得した位置情報がそれぞれ格納される。
【００６９】
その後、第１実施形態と同様にステップＳ１３０〜ステップＳ１３１の処理を行い、保管箱１０Ａが輸送先に到着するまでステップＳ１２０〜ステップＳ１３１の処理を繰り返し行う。
【００７０】
本実施形態では、送信による電力消費を低減するため、温度データＡを送信するときに位置情報を取得して位置データＢを送信しているが、これに限定されず、温度データＡの送信と独立に位置データを送信するようにしてもよい。
【００７１】
集計サーバ２０Ａの動作は、図１４に示すように温度監視処理Ｓ２００、及び位置監視処理Ｓ２２０から構成されており、温度監視処理Ｓ２００は第１実施形態の温度監視処理と同様である。
【００７２】
集計サーバ２０Ａは輸送管理システムが停止するまで温度監視処理Ｓ２００と並行して位置監視処理Ｓ２２０を実行する。
【００７３】
すなわち、図１５に示すように、制御部２２は受信部２１を介して何れかの保管箱１０Ａから位置データＢを受信したか否かを判定し（ステップＳ２２１）、位置データＢを受信するまでステップＳ２２１の処理を繰り返し行う。
【００７４】
判定の結果、保管箱１０Ａから位置データＢを受信したとき、保管箱コードに対応する位置履歴３２を記憶装置３０Ａから読み込み、取得時刻、経度、及び緯度を追加して記憶する（ステップＳ２２２）。なお、保管箱コードに対応する位置履歴３２が記憶装置３０Ａに存在しない場合、新たに位置履歴３２を作成して取得時刻、経度、及び緯度を記憶する。これにより、輸送中の保管箱１０Ａに収納された血液の位置を輸送中に特定することが可能となる。
【００７５】
次いで制御部２２は記憶措置３０Ａから当該保管箱１０Ａの位置履歴３２を読み込んで、取得時刻、経度、及び緯度の変化に基づいて保管箱１０Ａが輸送先に到着する時刻を算出する（ステップＳ２２３）。これにより、輸送中に保管箱１０Ａの輸送先への到着時刻が算出される。
【００７６】
このように、本実施形態によれば、第１実施形態と同様の効果に加え、各保管箱１０Ａは通信網Ｎ１の事業者から提供される位置情報を輸送中に取得して位置情報を含む位置データＢを輸送中に送信し、集計サーバ２０Ａは位置データＢを取得して輸送中の各保管箱１０Ａの位置を管理するので、例えば輸送先に到着した保管箱１０Ａに新たな血液を収納して次の輸送先に輸送する等の輸送スケジュールをたてることができ、血液の輸送効率を向上することができる。
【００７７】
また、取得した位置データＢに基づいて輸送中に保管箱１０Ａの輸送先への到着時刻を算出するので、例えば輸送先に到着した保管箱１０Ａに新たな血液を収納して次の輸送先に輸送する等の輸送スケジュールを正確にたてることができ、血液の輸送効率をさらに向上することができる。
【００７８】
図１６は本発明の第３実施形態を示すもので、同図は輸送管理システムの構成図である。
【００７９】
第３実施形態と第１実施形態との相違点は、各保管箱から受信した温度データをインターネット網を介して提供可能にしたことである。なお、前述した第１実施形態と同一構成部分は同一符号をもって表し、その説明を省略する。
【００８０】
すなわち、図１６に示すように、輸送管理システムは複数の保管箱１０、通信網Ｎ１、集計サーバ２０、記憶装置３０、及び印刷機４０に加え、Ｗｅｂサーバ５０、インターネット網Ｎ２、及び複数の端末６０から構成されている。
【００８１】
各端末６０はインターネット網Ｎ２に接続可能な周知のパソコンであり、ＵＲＬを指定してインターネット網Ｎ２上に存在するファイルやデータを取得している。
【００８２】
Ｗｅｂサーバ５０はインターネット網Ｎ２に接続し、ＵＲＬ指定により要求されたファイルやデータを送信するためのものであり、送受信部５１及び制御部５２を備えている。送受信部５１はインターネット網Ｎ２を介して外部から送信された要求を受信して制御部５２に出力するとともに、制御部５２から入力された所定のデータを送信している。制御部５２はＣＰＵ及びＲＡＭ、ＲＯＭ等のメモリ等から構成される周知のマイクロプロセッサであり、自己のメモリ内に格納されたプログラムに基づいて、記憶装置３０に記憶されている温度履歴３１を読み込み、要求に対応するデータを作成して送受信部５１に出力している。これにより、輸送中の保管箱１０から受信した温度データＡをインターネット網Ｎ２を介して各端末６０に提供することが可能となる。
【００８３】
本実施形態では、集計サーバ２０とは別のＷｅｂサーバ５０を備えるようにしたが、これに限定されず、集計サーバ２０とＷｅｂサーバ５０とを１つのサーバとしてもよいし、それぞれ複数のサーバで構成するようにしてもよい。
【００８４】
このように、本実施形態によれば、第１実施形態と同様の効果に加え、輸送中の保管箱１０から受信した温度データＡをインターネット網Ｎ２を介して各端末６０に提供することができるので、専用回線を設けることなく輸送中の保管箱１０の内部の温度を輸送中に知ることができる。
【００８５】
なお、本発明の構成は、前述の実施形態にのみ限定されるものではなく、本発明の要旨を逸脱しない範囲内において種々変更を加えてもよい。
【図面の簡単な説明】
【００８６】
【図１】本発明の第１実施形態における輸送管理システムの構成図
【図２】図１に示した保管箱の制御系構成を示すブロック図
【図３】図１に示した保管箱の表面に設けられた表示部及び入力装置の正面図
【図４】図１に示した保管箱の処理構成図
【図５】図４に示した出発処理のフローチャート
【図６】図４に示した輸送中処理のフローチャート
【図７】温度データの一例を表すデータ構造図
【図８】図４に示した到着処理のフローチャート
【図９】図１に示した集計サーバが実行する温度監視処理のフローチャート
【図１０】本発明の第２実施形態における輸送管理システムの構成図
【図１１】図１０に示した保管箱の処理構成図
【図１２】図１１に示した輸送中処理のフローチャート
【図１３】図１０に示した集計サーバの処理構成図
【図１４】温度データの一例を表すデータ構造図
【図１５】図１３に示した位置監視処理のフローチャート
【図１６】本発明の第３実施形態における輸送管理システムの構成図
【符号の説明】
【００８７】
１０，１０Ａ…保管箱、１１，１１Ａ…通信装置、１１ａ…制御部、１１ｃ…通信モジュール、１１ｄ…通信アンテナ、２０，２０Ａ…集計サーバ、２１…受信部、２２…制御部、４０…印刷機、５０…Ｗｅｂサーバ、６０…端末、Ａ…温度データ、Ｂ…位置データ、Ｎ１…通信網、Ｎ２…インターネット網。
【図１】
2008050101.tif 000003
【図２】
2008050101.tif 000004
【図３】
2008050101.tif 000005
【図４】
2008050101.tif 000006
【図５】
2008050101.tif 000007
【図６】
2008050101.tif 000008
【図７】
2008050101.tif 000009
【図８】
2008050101.tif 000010
【図９】
2008050101.tif 000011
【図１０】
2008050101.tif 000012
【図１１】
2008050101.tif 000013
【図１２】
2008050101.tif 000014
【図１３】
2008050101.tif 000015
【図１４】
2008050101.tif 000016
【図１５】
2008050101.tif 000017
【図１６】
2008050101.tif 000018